(57)【要約】【課題】装着した際、鼻部に負担が加わらずしかも支持力も確実で、安定した装着性が得られる鼻パッド無し眼鏡Ａを提供する。【解決手段】本発明の鼻パッド無し眼鏡Ａは、フロント部３と該フロント部３に取り付けられたテンプル本体部２とを備えた鼻パッド無し眼鏡Ａにおいて、該テンプル本体部２に補助テンプル片１が着脱可能に取り付けられており、該補助テンプル片１が頬骨と後頭部に支持されるものであり、該テンプル本体部２が耳部と後頭部に支持されるものである。【選択図】図１
2015038608.tif 000002
【特許請求の範囲】
【請求項１】
フロント部と該フロント部に取り付けられたテンプル本体部とを備えた鼻パッド無し眼鏡において、該テンプル本体部に補助テンプル片が取り付けられており、テンプル本体部と補助テンプル片とにより頬骨と後頭部と耳部に支持されるものであることを特徴とする鼻パッド無し眼鏡。
【請求項２】
前記補助テンプル片が頬骨と後頭部に支持されるものであり、前記テンプル本体部が耳部と後頭部に支持されるものであることを特徴とする請求項１記載の鼻パッド無し眼鏡。
【請求項３】
前記補助テンプル片は、略Ｌ字状であり、後頭部支持部と該後頭部支持部の前端部から下方に伸出した頬骨支持部とよりなり、該頬骨支持部に前記テンプル本体部が取り付けられていることを特徴とする請求項１記載の鼻パッド無し眼鏡。
【請求項４】
前記補助テンプル片が前記テンプル本体部に沿って移動して位置調整が可能となっていることを特徴とする請求項１記載の鼻パッド無し眼鏡。
【請求項５】
前記補助テンプル片が着脱自在に取り付けられていることを特徴とする請求項１記載の鼻パッド無し眼鏡。
【請求項６】
前記テンプル本体部が金属線材よりなることを特徴とする請求項１記載の鼻パッド無し眼鏡。
【請求項７】
前記テンプル本体部が平らな金属線材よりなり、補助テンプル片の側面には、取り付け孔が形成されており、該取り付け孔の開放口が金属線材の厚みより大きく且つ幅より小さいものであることを特徴とする請求項５記載の鼻パッド無し眼鏡。
【請求項８】
前記補助テンプル片がプラスチック材よりなることを特徴とする請求項１記載の鼻パッド無し眼鏡。
【請求項９】
前記テンプル本体部の後端部に眼鏡の重心位置を調整するためのバランサーを設けたことを特徴とする請求項１記載の鼻パッド無し眼鏡。
【請求項１０】
前記補助テンプル片の内側に溝部を形成したことを特徴とする請求項１記載の鼻パッド無し眼鏡。
【発明の詳細な説明】
【技術分野】
【０００１】
本発明は、鼻パッド無し眼鏡に関し、更に詳しくは、鼻部に負担がなく確実に支持されて装着安定性の優れた鼻パッド無し眼鏡に関する。
【背景技術】
【０００２】
一般の眼鏡は、フロント部のブリッジ（いわゆる「山」）やブリッジ近傍のリムにレンズの重さを支えるためにノーズパッドを備えている。
このノーズパッドが、着用者の鼻部によって支持され、またテンプルの後端部（モダン部）が耳部によって支持されることで眼鏡が顔に装着される。
しかし、眼鏡の前半部の重さが、ノーズパッドを介して鼻骨を押圧するように作用するため、鼻部に大きな負担が加わる。
特に、レンズが厚い度付きガラスのように重い場合は、接圧が増し鼻骨への負担が大きくなる。
【０００３】
また、ノーズパッド部は肌と接しているため、その押圧された部分が赤く変色したり、極端には擦れて傷が付く場合もある。
特に女性は、化粧を行うことから、鼻部の一部に荷重が集中し、化粧がその部分だけ取れてしまうことは、極力回避しなければならない。
このような問題点を解決するものとして、ノーズパッドを備えていない鼻パッド無し眼鏡が幾つか開発されている。
【０００４】
例えば、特許文献１、特許文献２には、ノーズパッドを備えていない眼鏡が示されており、これらはずり落ち部防止部或いは滑り止めがテンプルの中間位置に設けられた構造を有するもので、その位置の調整が可能である。
【０００５】
また特許文献３には、こめかみ部分を押圧する湾曲した板バネのような当たり部を設けた鼻パッド無し眼鏡が示されており、このバネ板の一端は、形の調整のためスライド可能になっている。
しかし、これらはどちらも、頬骨と耳部の２カ所だけで支えており、例えば、眼鏡が重くなると、どうしても相対的に前方のフロント部を押し下げる力が大きくなる。
その結果、リムが鼻に接触するまで下がるという問題が生じる。
また、ノーズパッドが無いため支持力不足となり、運動をした場合等はずれ易く、いわゆる安定した装着性に欠ける。
【０００６】
また、特許文献４には、鼻パッドを具備しない眼鏡が示されているが、これはテンプルに設けられた係止部材が延出部材と耳当て部材を備えるもので、延出部材によって眼鏡フレームが過度に後方に引っ張られることがなく、耳当て部材により眼鏡フレームが前方側にずれることが抑止されるというものである。
これは耳の位置にて係止部材の機能によりずれを防止するようにしているため装着性を確実に安定させるには無理がある。
【先行技術文献】
【特許文献】
【０００７】
【特許文献１】特開平１０−１６１０６８号公報
【特許文献２】特開２０１１−２６６７号公報
【特許文献３】特開２００３−１２１８００号公報
【特許文献４】特開２００７−４１４６０号公報
【発明の概要】
【発明が解決しようとする課題】
【０００８】
本発明は上記のような問題点を背景になされたものである。
すなわち本発明は、装着した際、鼻部に負担が加わらずしかも支持力も確実で、安定した装着性が得られる鼻パッド無し眼鏡を提供することを目的とする。
【課題を解決するための手段】
【０００９】
本発明者は、上記課題を解決するため鋭意検討したところ、独立した部品である補助テンプル片１を使うことで、意外にも、上記問題点を解決できることを見出し、本発明を完成させるに至った。
【００１０】
本発明は、（１）、フロント部と該フロント部に取り付けられたテンプル本体部とを備えた鼻パッド無し眼鏡において、該テンプル本体部に補助テンプル片が取り付けられており、テンプル本体部と補助テンプル片とにより頬骨と後頭部と耳部に支持されるものである鼻パッド無し眼鏡に存する。
【００１１】
本発明は、（２）、前記補助テンプル片が頬骨と後頭部に支持されるものであり、該テンプル本体部が耳部と後頭部に支持されるものである上記（１）記載の鼻パッド無し眼鏡に存する。
【００１２】
本発明は、（３）、前記補助テンプル片は、略Ｌ字状であり、後頭部支持部と該後頭部支持部の前端部から下方に伸出した頬骨支持部とよりなり、該頬骨支持部にテンプル本体部が取り付けられている上記（１）記載の鼻パッド無し眼鏡に存する。
【００１３】
本発明は、（４）、前記補助テンプル片がテンプル本体部に沿って移動して位置調整が可能となっている上記（１）記載の鼻パッド無し眼鏡に存する。
【００１４】
本発明は、（５）、前記補助テンプル片が着脱自在に取り付けられている上記（１）記載の鼻パッド無し眼鏡に存する。
【００１５】
本発明は、（６）、前記テンプル本体部が金属線材よりなる上記（１）記載の鼻パッド無し眼鏡に存する。
【００１６】
本発明は、（７）、前記テンプル本体部が平らな金属線材よりなり、補助テンプル片の側面には、取り付け孔が形成されており、該取り付け孔の開放口が金属線材の厚みより大きく且つ幅より小さいものである上記（５）記載の鼻パッド無し眼鏡に存する。
【００１７】
本発明は、（８）、前記補助テンプル片がプラスチック材よりなる上記（１）記載の鼻パッド無し眼鏡に存する
【００１８】
本発明は、（９）、前記テンプル本体部の後端部に眼鏡の重心位置を調整するためのバランサーを設けた上記（１）記載の鼻パッド無し眼鏡に存する。
【００１９】
本発明は、（１０）、前記補助テンプル片の内側に溝部を形成した上記（１）記載の鼻パッド無し眼鏡に存する。
【００２０】
本発明の目的に添ったものであれば上記（１）〜（１０）の発明を適宜組み合わせる構成も採用可能である。
【発明の効果】
【００２１】
本発明の鼻パッド無し眼鏡は、フロント部と該フロント部に取り付けられたテンプル本体部とを備えた鼻パッド無し眼鏡において、該テンプル本体部に補助テンプル片が取り付けられており、テンプル本体部と補助テンプル片とにより頬骨と後頭部と耳部に支持されるものであるので、テンプル本体部と補助テンプル片とが、協働して頬骨と後頭部と耳部とに支持されることから支持力も確実で安定した装着性が得られる。
また補助テンプル片１を眼鏡本体とは別に用意しておき、現場にて補助テンプル片１を組み付けることができる。
【００２２】
前記補助テンプル片が頬骨と後頭部に支持されるものであり、該テンプル本体部が耳部と後頭部に支持されるものであるので、眼鏡自体が、補助テンプル片１の頬骨支持部１１によって頬骨に、また後頭部支持部１２によって後頭部に、更にテンプル本体部２によって耳部と後頭部に支持されるので、各支持される部分の圧力負担が軽減する。しかも頭部に４点で支持されるためホールド性が極めてよい。
また補助テンプル片は、略Ｌ字状であり、後頭部支持部と該後頭部支持部の前端部から下方に伸出した頬骨支持部とよりなり、該頬骨支持部にテンプル本体部が取り付けられているので、下方に伸出した頬骨支持部が頬骨に且つ後頭部支持部が後頭部に効率よく支持される。
補助テンプル片がテンプル本体部に沿って移動して位置調整が可能となっているので、各個人の頭部形状に最適な位置に設定することができる。
前記補助テンプル片が着脱自在に取り付けられているので、調整の際に、一度取り付けても、必要に応じて、再度取り外すことが可能である。
【００２３】
テンプル本体部が金属線材よりなることで、眼鏡を装着した際、適度にテンプル本体部が捻れ、補助テンプル片も含めて頭部により一層、フィットすることができる。
テンプル本体部が平らな金属線材よりなり、補助テンプル片の側面には、取り付け孔が形成されており、該取り付け孔の開放口が金属線材の厚みより大きく且つ幅より小さいものであると、補助テンプル片１をテンプルに取り付ける際に、金属線材の捻れを利用して、ワンタッチ操作で、簡単に取り付け或いは取り外しが可能である。
補助テンプル片１がプラスチック材よりなることで、軽くても支持機能を十分発揮できる。
また、製造も容易であり、コスト的に優位である。
テンプル本体部の後端部に眼鏡の重心位置を調整するためのバランサーを設けたことで、眼鏡全体のバランスの偏りを調整でき、確実に安定した装着性が得られる。
また補助テンプル片の内側に溝部を形成したことにより、ずれが生じなく装着時における安定感がより向上する。
【図面の簡単な説明】
【００２４】
【図１】図１は、第１実施形態に係る鼻パッド無し眼鏡を示す斜視図である。
【図２】図２は、第１実施形態に係る鼻パッド無し眼鏡を示す平面図である。
【図３】図３は、第１実施形態に係る鼻パッド無し眼鏡を示す側面図である。
【図４】図４は、補助テンプル片を示し、（Ａ）は側面図、（Ｂ）は平面図、（Ｃ）は頬骨支持部の断面を示す。
【図５】図５は、補助テンプル片とテンプル本体部である金属線材との取り付け態様を説明する断面図である。
【図６】図６は、補助テンプル片とテンプル本体部である金属線材との別の取り付け態様を説明する断面図である。
【図７】図７は、補助テンプル片とテンプル本体部（詳しくは金属線材）との更に別の取り付け状態を説明する図であり、（Ａ）は眼鏡の側面図であり、（Ｂ）は補助テンプル片における頬骨支持部の断面図である。
【図８】図８は、リム付きのフロント部を備えた鼻パッド無し眼鏡を示す。
【図９】図９は、テンプル本体部が丁番を備えた鼻パッド無し眼鏡を示す。
【図１０】図１０は、テンプル本体部がリム付きのフロント部と丁番を備えた鼻パッド無し眼鏡を示す。
【図１１】図１１は、補助テンプル片の形が異なる実施の形態である。
【図１２】図１２は、テンプル本体部が板状体の場合の実施の形態を示し、（Ａ）は側面図、（Ｂ）は頬骨支持部を内側から見た図、（Ｃ）は頬骨支持部の断面を示す。
【発明を実施するための形態】
【００２５】
以下、必要に応じて図面を参照しつつ、本発明の好適な実施形態について詳細に説明する。
なお、図面中、同一要素には同一符号を付すこととし、重複する説明は省略する。また、図面の寸法比率は図示の比率に限られるものではない。
【００２６】
（第１実施形態）
図１は、第１実施形態に係る鼻パッド無し眼鏡Ａを示す斜視図であり、図２は、第１実施形態に係る鼻パッド無し眼鏡Ａを示す平面図である。
また図３は、第１実施形態に係る鼻パッド無し眼鏡Ａを示す側面図である。
【００２７】
図１に示すように、第１実施形態に係る鼻パッド無し眼鏡Ａは、レンズ３１やブリッジ３２等を有するフロント部３と、該フロント部３に取り付けられたテンプル本体部２と、該テンプル本体部２に補助テンプル片１を備えている。
なお、図３にバランサーＷを鎖線で示したが、これについては、後述する。
【００２８】
本発明は、この補助テンプル片１を備えていることを大きな特徴とする。
この実施の形態では、フロント部３に対してテンプル本体部２が固定され、回動開閉自在となっているが、枢着部（いわゆる丁番）がなく、テンプル本体部２の弾性屈曲により回動開閉が行われる。
顔に装着した場合に、鼻部に負担が殆どなく、しかも眼鏡全体が頭部に確実に支持されるため（すなわちホールドされるため）、装着安定性が優れており、フィット感も極めてよい。
この補助テンプル片１は、テンプル本体部２のほぼ中間位置に取り付けられており、容易に取り付けが可能である。
【００２９】
図４は、補助テンプル片１を示し、（Ａ）は側面図であり、また（Ｂ）は平面図である。
そして、（Ｃ）は頬骨支持部１１の断面を示す。
補助テンプル片１は、略Ｌ字状に形成されており、後頭部支持部１２と該後頭部支持部１２の前端部から下方に伸出した頬骨支持部１１とよりなる。
また、補助テンプル片１は平面視で内側に適度に湾曲するようになっており、頭部を的確にホールドする。
【００３０】
この補助テンプル片１の頬骨支持部１１が頭部の頬骨（詳しくは、頬骨弓）に当接し、他方の後頭部支持部１２が上部の後頭部に当接することにより支持される。
補助テンプル片１の側面には、横断するように２本の取り付け孔Ｐが設けられている。
この取り付け孔Ｐは、上記断面図から分かるように、取り付け孔Ｐの開放口が狭く形成されており、そのため後述するように、テンプル本体部２に対して離脱しないような取り付けが簡単に行える。
【００３１】
ここで補助テンプル片１の材料としては、種々のものが適応可能であるが、頭部へのフィット性及び軽さの観点から合成樹脂が好ましい。
頬骨においては顔の皮膚に対して、直接、補助テンプル片１が接触するため、肌触りや温感の観点からも合成樹脂（例えば、ナイロン等のポリアミド樹脂、アセテート樹脂）が適する。
【００３２】
一方、テンプル本体部２は、その後ろの耳掛け部（別名、モダン部）のところが、一部は耳に掛かって支持され、他の一部は下部の後頭部に当接して支持され、計２点で支持される。
このように、本発明の鼻パッド無し眼鏡Ａは、装着した場合に、テンプル本体部２と補助テンプル片１によって、頭部の頬骨、上部の後頭部、下部の後頭部、耳部に支持されて、荷重が分散される。
そのため、従来の鼻パッド無し眼鏡に比べて頭部に対する圧力負担が極めて軽くなる。
しかもテンプル本体部２で２カ所、補助テンプル片１で２カ所の、計４カ所で支持されるため眼鏡の掛け位置が安定しホールド性も優れ、例えば激しい運動にも耐えることができる。
【００３３】
ところで、補助テンプル片１は取り付けた後にテンプル本体部２に沿って移動することができるから補助テンプル片１がテンプル本体部２に対する位置調整が可能である。
そのため、眼鏡の購入の際、その場で顔に合わせてフィットさせることが容易に可能である。
具体的には、お客の頭の大きさ、形、頬骨の位置等を考慮し、その人に最適な位置に補助テンプル片１を合わせる。
そして、その位置で補助テンプル片１とテンプル本体部２とを接着剤等を使って固める。
この場合、取り付け孔Ｐに接着剤を充填すればよい。
【００３４】
このように、補助テンプル片１がテンプル本体部２に沿って移動することで、位置調整が可能であるが、人によっては頬骨部分の面に角度がついており、補助テンプル片１の頬骨支持部１１が片当たりすることがある。
ここで、テンプル本体部２を金属線材２１で構成することで、テンプル本体部２が適度に捻れ、それに伴い頬骨支持部１１を頬骨部分の面に確実に当接させることができる。
【００３５】
次にテンプル本体部２に対する補助テンプル片１の取り付け原理について述べる。
ここで、テンプル本体部２は、金属線材２１（材質として、例えば、ベータチタン等の弾性金属、超弾性金属）よりなり、少なくとも多少の弾性的な捻れ変形が可能である。
この金属線材２１は、潰された線材、すなわち平線材を採用することが好ましい。
【００３６】
補助テンプル片１はその側面部においてテンプル本体部２の金属線材２１が取り付けられるようになっている。
補助テンプル片１の側面部には、左右に横断するように２本の長い取り付け孔Ｐ（すなわち取り付けのための溝）が設けられており、該取り付け孔Ｐの開放口の口幅Ｌ３は前記金属線材２１の厚みＬ１より大きく且つその幅Ｌ２より小さく形成されている（図４、図５参照）。
そのため、テンプル本体部１を構成する金属線材２１を取り付け孔Ｐに取り付けるには、金属線材２１を少し捻った状態で開放口を通過させる。
その後、捻りを戻すことにより、金属線材２１は、確実に取り付け孔Ｐに取り付けられ離脱しない。
【００３７】
このように、補助テンプル片１にテンプル本体部２を構成する金属線材２１を簡単に取り付けられるので、補助テンプル片１を眼鏡本体とは別に用意しておき、現場にて補助テンプル片１を組み付けることができる。
前述したように、本発明の鼻パッド無し眼鏡Ａは、補助テンプル片１が取り付けられた場合、テンプル本体部２に対して、補助テンプル片１が上方に一定の角度をなして延び広がった状態となり嵩張るものである。
しかし、このように、別々に用意しておけばよいので、物流や保管の観点から極めて効率がよい。
【００３８】
図５は、補助テンプル片１とテンプル本体部２（詳しくは金属線材２１）との取り付け操作を説明する図である。
まず、金属線材２１を開放口に対向させる。
そして捻ることで垂直にする（Ａ）。
次に、金属線材２１を移動し開放口を通過させて取り付け孔Ｐに挿入する（Ｂ）。
金属線材２１の厚みＬ１が、開放口の幅Ｌ３より狭いため支障なく通過できる。
そして取り付け孔Ｐに入った後に、捻れを解消させ元の水平状態に戻す（Ｃ）。
このように最後に水平にすることにより、その後、移動しようとしても金属線材２１は開放口にて阻止されるため、それ以上は外方に離脱しない。
金属線材２１が一旦、取り付け孔Ｐに入ると、開放口の幅Ｌ３がその金属線材２１の幅Ｌ２より狭いため、阻止されて通過できないのである。
【００３９】
ところで、補助テンプル片１は、頭に合った位置に移動して位置決めする。
この状態で、接着剤を使って取り付け孔Ｐに金属線材２１を固定する。
固定する前に金属線材２１を取り外したい場合は、金属線材２１を捻って垂直にし、開放口を通過させれば簡単に離脱する。
ここで、取り付け孔Ｐの幅Ｌ４を金属線材の幅Ｌ２より極めて僅かでも小さくしておくと、一旦、取り付けられた金属線材２１は、取り付け孔Ｐの内壁に圧接されるため位置がずれない。
【００４０】
或いはまた、金属線材２１同士の間隔を、２つ取り付け孔Ｐの間隔より僅かに大きくしておくことにより、スライドしようとしても２本の線の弾圧効果により抵抗力が発生し位置ずれなくすることができる。
【００４１】
（取り付け孔の変形例）
補助テンプル片１とテンプル本体部（詳しくは金属線材２１）との取り付けは、上述のような取り付け孔Ｐに限らない。
【００４２】
図６は、補助テンプル片１とテンプル本体部２（詳しくは金属線材２１Ａ）との別の取り付け状態を説明する図である。
断面でわかるように、取り付け孔Ｐ１が深さ方向にＬ字状に形成されている（Ａ）。
金属線材２１Ａを挿入して（Ｂ）、横方向に少しスライドすることで、金属線材２１Ａは離脱しない位置に装着される（Ｃ）。
この状態で、接着剤等を使って取り付け孔Ｐ１に金属線材２１を確実に固定する。
なお、この変形例では、金属線材２１Ａは捻る必要がないことから、前述の実施の形態のように平線材ではなく丸線材（断面円形）でも適用可能である。
【００４３】
図７は、補助テンプル片１とテンプル本体部（詳しくは金属線材２１Ａ）との更に別の取り付け状態を説明する図である。
（Ａ）は眼鏡の側面図であり、（Ｂ）は補助テンプル片における頬骨支持部１１の断面図である。
【００４４】
図６の場合とは異なり、テンプル本体部２の後端部が開いている形態においては、補助
テンプル片１に貫通した取り付け孔Ｐ２を設け、該取り付け孔Ｐ２に後端部を挿通すればよく、極めて簡単に取り付けることができる。
この状態で、同様に、接着剤等を使って取り付け孔Ｐ２に金属線材２１Ａを確実に固定する。
後端部２２の先端が危険な場合は、補助テンプル片１を取り付けた後に、キャップＳのようなものを装着しておくことが好ましい。
【００４５】
（第２実施形態）
上述の実施の形態では、本発明の鼻パッド無し眼鏡Ａが、フロント部３がリムを備えていないで、レンズに対し、直接、テンプル本体部２が取り付けられている例を示した。
しかし、フロント部３がリムを備える場合にも当然適用可能である。
図８は、リム付きのフロント部３を備えた鼻パッド無し眼鏡Ａを示す。
テンプル本体部２がリムに取り付けられており、これも弾性屈曲による開閉ができる。
【００４６】
（第３実施形態）
上述の実施の形態では、鼻パッド無し眼鏡Ａは、テンプル本体部２がその弾性屈曲により開閉する例を示したが、テンプル本体部２が丁番３４（いわゆる「ヒンジ」）を介して開閉するものであっても採用可能である。
図９は、テンプル本体が丁番３４を備えた鼻パッド無し眼鏡Ａを示す。
【００４７】
（第４実施形態）
この実施の形態は、フロント部３がリムを備え、且つテンプル本体部２が丁番３４を備えている鼻パッド無し眼鏡Ａの例である（図１０）。
テンプル本体部２は、リムに固定されており、丁番３４を介して開閉する。
上述した各実施形態においても、テンプル本体部２に補助テンプル片１を設けることで、装着の際、鼻部に負担が加わらずしかも支持力も確実で、安定した装着性が得られる。
【００４８】
（第５実施形態）
図１１の実施の形態は、補助テンプル片１の形が前述のものとは異なる例である。
テンプル本体部２が短い場合であって、補助テンプル片１の後頭部支持部１２が二股に形成されており、上側支持部１２Ａと下側支持部１２Ｂとに分岐している。
この上側支持部１２Ａが後頭部に下側支持部１２Ｂが耳部にて支持される。
このような二股の補助テンプル片１を採用することで、後頭部を支持する部分が同一素材となり、外見的に統一感がでる。
この例では、頬骨支持部１１に幅広溝状の取り付け孔Ｐ３を設けておき、金属線材２１Ａを内側に縮幅するように撓ませてそのまま嵌め込む。
なお取り付け孔Ｐ３には、更に金属線材２１Ａが嵌り込む細溝を形成しておくことが好ましい。
【００４９】
（第６実施形態）
図１２は、テンプル本体部２が線材ではなく、板状体の場合の実施の形態を示す。
（Ａ）は側面図、（Ｂ）は頬骨支持部を内側から見た図、及び（Ｃ）は頬骨支持部の断面である。
板状体の材質は金属やプラスチック材が採用されるが、必ずしもこれに限定されない。
補助テンプル片１には、長穴Ｐ４が形成されており、この長穴Ｐ４にテンプル本体部２を圧入することにより両者は取り付けられる。
補助テンプル片１の頬骨支持部１１の内側には溝部Ｑが形成されており、この溝部Ｑが皮膚に食い込むため、ずれるようなことがなく、装着時における安定感がより向上する。
溝部Ｑとしては、上下のずれを防止するには、水平方向に形成された方がよいが、傾斜させて前後のずれをも防ぐようにしてもよい。
また溝部Ｑとしては、皮膚に食い込むような形状であればよく、複数個形成してもよい。
【００５０】
（バランサーの利用）
ところで、眼鏡を装着する人によりレンズの材質、大きさ、厚み等が異なる。
すなわち、レンズの重量が各人で異なり、その結果、眼鏡の重心位置も変化する。
一方、フロント部の重い眼鏡枠はレンズの重量に関わらす重心位置はフロント側に偏ることとなる。
重心位置がフロント側に偏り過ぎると、頬骨への接圧が強くなる。
そのため、重心位置を最適な位置に変更するために、前述の図３に示すように後端部にバランサーＷを取り付けて頬骨への接圧力を調整するのである。
【００５１】
（鼻パッド無し眼鏡Ａ以外の眼鏡に対する適用）
前述したように、本発明の鼻パッド無し眼鏡Ａは、補助テンプル片１を備えていることで、鼻パッドが着用者の鼻に当たらないという利点がある。
しかし、この原理については、敢えて鼻パッドを備えた眼鏡に適用することも当然可能である。
すなわち鼻パッドの鼻への接圧を軽減する上で、極めて有用である。
鼻パッド無し眼鏡Ａを装着すると違和感があるという人にとっては、敢えて鼻パッドを備えた眼鏡に、本発明のような補助テンプル片１を備えることで、鼻への圧力負担を大きく低下させることができる。
【００５２】
以上、本発明の実施形態について説明したが、本発明は上記実施形態に限定されるものではない。
本実施形態に係る鼻パッド無し眼鏡Ａにおいて、取り付け孔Ｐは、実施の形態に限らず取り外し自在のものであれば、その変形例が可能である。
またテンプル本体部を構成する金属線材の本数は３本以上でも採用可能であり、金属線材２１の束が一部で共通化されている部分があってもよい。
【産業上の利用可能性】
【００５３】
本発明は、鼻部に負担が殆どなくしかも確実に支持されるため装着安定性に極めて優れている。
そのため、溶接の際使うような業務用の眼鏡や或いは立地画像を見ることができる眼鏡等広範囲な分野の眼鏡にも適用可能ある。
【符号の説明】
【００５４】
１・・・補助テンプル片
１１・・・頬骨支持部
１２・・・後頭部支持部
１２Ａ・・・上側支持部
１２Ｂ・・・下側支持部
２・・・テンプル本体部
２１・・・金属線材
２１Ａ・・・金属線材
３・・・フロント部
３１・・・レンズ
３２・・・ブリッジ
３３・・・リム
３４・・・丁番
Ａ・・・鼻パッド無し眼鏡
Ｐ・・・取り付け孔
Ｐ１・・・取り付け孔
Ｐ２・・・取り付け孔
Ｐ３・・・取り付け孔
Ｐ４・・・長穴
Ｑ・・・溝部
Ｓ・・・キャップ
Ｗ・・・バランサー
Ｌ１・・・金属線材の厚み
Ｌ２・・・金属線材の幅
Ｌ３・・・開放口の幅
Ｌ４・・・取り付け孔の幅
【図１】
2015038608.tif 000003
【図２】
2015038608.tif 000004
【図３】
2015038608.tif 000005
【図４】
2015038608.tif 000006
【図５】
2015038608.tif 000007
【図６】
2015038608.tif 000008
【図７】
2015038608.tif 000009
【図８】
2015038608.tif 000010
【図９】
2015038608.tif 000011
【図１０】
2015038608.tif 000012
【図１１】
2015038608.tif 000013
【図１２】
2015038608.tif 000014